(57)【要約】【課題】倍率の異なるレンズを取替えて使用できる拡大鏡ホルダーを提供する。【解決手段】把持部２とその先端に設けられたレンズ保持部３とからなり、下方が開口している透明カバーを備えるレンズホルダー１７に装着されているレンズ１１を、前記レンズ保持部に直接又はアダプターを介して着脱可能に保持することにより、倍率の異なるレンズを取替えて使用できることを特徴とする拡大鏡ホルダー。【選択図】図２
0003120608.tif 000002
【実用新案登録請求の範囲】
【請求項１】
把持部とその先端に設けられたレンズ保持部とからなり、レンズホルダーに装着されているレンズを、前記レンズ保持部に直接又はアダプターを介して着脱可能に保持することにより、倍率の異なるレンズを取替えて使用できることを特徴とする拡大鏡ホルダー。
【請求項２】
前記レンズ保持部及びアダプターは嵌着部を有し、該嵌着部にレンズホルダー又はアダプターを嵌合して支持手段により保持する請求項１に記載の拡大鏡ホルダー。
【請求項３】
前記支持手段がＯリング、摩擦抵抗力、テーパー部、ねじ、接着又は噛み合い連結のいずれかである請求項１又は２の拡大鏡ホルダー。
【請求項４】
前記支持手段がＯリング、摩擦抵抗力又はテーパー部である請求項３に記載の拡大鏡ホルダー。
【請求項５】
前記レンズホルダーが下方が開口している透明カバーを備え、該透明カバーの上方にレンズが装着されている請求項１〜４のいずれかに記載の拡大鏡ホルダー。
【請求項６】
前記レンズ保持部の内部に照明がレンズ保持部に沿って設けられている請求項１〜５のいずれかに記載の拡大鏡ホルダー。
【請求項７】
前記照明が冷陰極放電管である請求項６に記載の拡大鏡ホルダー。
【考案の詳細な説明】
【技術分野】
【０００１】
本考案は、拡大鏡ホルダーに関し、特にレンズを着脱可能に保持することにより倍率の異なるレンズを取替えて使用できる拡大鏡ホルダーに関する。
【背景技術】
【０００２】
従来、視力が低下した老眼の人や弱視者が読書や作業を行うとき拡大鏡が使用されている。例えば、特許文献１には、レンズを保持するレンズ保持部に沿って冷陰極放電管をレンズ保持部の内部に配設し、薄暗い場所で使用するときには照明で明るくしてレンズで拡大して見る照明付拡大鏡が開示されている。
【０００３】
また、倍率の異なる複数個の拡大鏡を用意しておき、見る対象物品に応じて倍率の異なる拡大鏡を適宜選択して使用する方法も知られている。
【特許文献１】特開２００２−１５０８０２号公報
【考案の開示】
【考案が解決しようとする課題】
【０００４】
しかしながら、特許文献１の照明付拡大鏡ではレンズがレンズ保持部に固定して取り付けられている拡大鏡のため、取り付けされているレンズの倍率だけで使用するときは何ら支障ないが、異なる倍率の拡大鏡が必要なときはその倍率ごとに拡大鏡を用意しなければならない。そのため拡大鏡の保管が嵩張り経費の高騰を招くという問題があった。
【０００５】
また、倍率の異なる複数個の拡大鏡から所望の倍率の拡大鏡を適宜選択して使用する方法では、同様に倍率ごとに拡大鏡を装備する必要があり、さらに照明がついていないため暗い場所で使用するときには、別の照明装置に連結したり、例えば１００Ｗの電灯で照明する必要があるために、前者では全体が大型となり、また後者では頭部が熱せられて長時間の使用が困難であるばかりでなく、均一な照明が得られ難いという問題があった。
【０００６】
本考案は、上記問題に鑑みてなされたものであり、レンズ保持部にレンズが装着されたレンズホルダーを直接又はアダプターを介して着脱可能に保持することにより、倍率の異なるレンズを取替えて使用できる拡大鏡ホルダーを提供することを目的とする。
【課題を解決するための手段】
【０００７】
本考案は上記目的を達成するためになされたものであり、その要旨は次の通りである。
本考案の拡大鏡ホルダーは、把持部とその先端に設けられたレンズ保持部とからなり、レンズホルダーに装着されているレンズを前記レンズ保持部に直接又はアダプターを介して着脱可能に保持することにより、倍率の異なるレンズを取替えて使用できることを特徴とする。
【０００８】
また、本考案は上記拡大鏡ホルダーにおいて前記レンズ保持部及びアダプターが嵌着部を有しており、該嵌着部にレンズホルダー又はアダプターを嵌合して支持手段により保持することを特徴とし、該支持手段としてＯリング、摩擦抵抗力、テーパー部、ねじ、接着又は噛み合い連結のいずれかを使用するものである。
【０００９】
さらに、本考案は前記レンズ保持部の内部に照明をレンズ保持部に沿って設けることを特徴とする。
【考案の効果】
【００１０】
本考案の拡大鏡ホルダーは、レンズが装着されているレンズホルダーをレンズ保持部に直接又はアダプターを介して着脱可能に保持しているので、レンズの取替えを容易にできる、本体部は共用しレンズホルダーの取替えであるのでホルダーを小型化できる、及び前記レンズ保持部とアダプターの両方でレンズを保持できるので、一つの拡大鏡ホルダーでレンズ口径や倍率の異なる多数のレンズを使用できるなどの効果が得られる。
【００１１】
さらに、前記レンズ保持部の内部に照明をレンズ保持部に沿って設けることにより、レンズホルダーの透明カバーを通して照明できるので、コンパクトな照明装置で均一に照明できる。
【考案を実施するための最良の形態】
【００１２】
本考案の拡大鏡ホルダーの実施形態を図面に基づいて具体的に説明する。
図１〜図３は本考案の拡大鏡ホルダーの実施例を示す。本例において拡大鏡ホルダーの本体１は合成樹脂等の材料から形成した把持部２とこの把持部２の先に形成された円形のレンズ保持部３とによって構成される。図１はこのレンズ保持部３に合成樹脂製のリング状のアダプター４が嵌着されている場合の斜視図であり、レンズはレンズホルダーに装着された状態でアダプター４の開口部に保持される。図２はレンズ保持部３からアダプター４を取り外したときの拡大鏡ホルダーの断面説明図を示し、図３はその底面図である。  図２に示すようにレンズ保持部３は本体１と一緒に形成された円形鍔部６を備えており、該円形鍔部６の内周部に沿って嵌着部１４が形成されている。この嵌着部１４は鎖線で示すようにレンズ１１を装着したレンズホルダー１７を保持し、又は前記したようにアダプター４を保持する部分である。レンズ保持部３の内部には照明装置を嵌入するための空間部が形成されており、この空間部にループ状に形成した例えば冷陰極放電管１３がレンズ保持部３に沿って設けられている。
【００１３】
この冷陰極放電管１３は図４に拡大して示すようにレンズ保持部３の内部に、落しても破損しないように設けられることが好ましい。具体的には特許文献１に示されているように冷陰極放電管１３に無色透明で適度の弾力性を有する合成樹脂製のリング状緩衝部材２２を図３に示すように複数個（本例では７個）嵌挿し、この緩衝部材２２を介在させて受けリング２１と固定リング１２の間で挟持されている。この場合、受けリング２１と固定リング１２の挟持面は冷陰極放電管１３を安定して保持できるように緩衝部材２２の外形に沿って凹状に湾曲して形成されることが好ましい。また、図示はしないがチューブ状の緩衝部材で冷陰極放電管１３の全体を覆うことにより安全度を更に高めることができる。また、緩衝部材は普通はこのように別成形したものを用いるが、合成樹脂等を塗布して形成してもよい。
【００１４】
さらに、冷陰極放電管１３から照射される光の損失を少なくしするために、冷陰極放電管１３の背部の受けリング２１は光を透過しない材料で形成し、反対側の固定リング１２は光を透過する材料で形成することが好ましい。また、受けリング２１の挟持面に例えばアルミ箔や反射シート等の光を散乱させる部材２４を配設することによって、冷陰極放電管１３の光の効率性を高めてより明るくかつ均一に照射させることができる。
【００１５】
上記構成により、冷陰極放電管１３からの照射光の損失を少なくしながら冷陰極放電管の耐衝撃性を高めることができるので、落下したような場合でも冷陰極放電管１３の破損を防止し、安全性の高い拡大鏡ホルダーを得ることができる。冷陰極放電管１３は寿命も長く、本考案の拡大鏡ホルダーの光源として優れている。
【００１６】
一方、把持部２の内部には図２及び図３に示すように冷陰極放電管１３を点灯するための放電回路１６、乾電池等の電源２３が内臓されており、スイッチ１５によって冷陰極放電管１３を適宜点灯させたり、消灯させることができる。携帯して使用するときや短時間の使用時の電源としては、内臓されている乾電池等の電源２３が使用されるが、長時間で使用するときには把持部２の後端に設けられている端子１８から例えば家庭用電気を導入して使用する。
【００１７】
本考案においてレンズはガラス又はプラスチック製であり、該レンズはレンズホルダーに装着された状態で拡大鏡ホルダーによって保持される。図７はレンズ口径が小さいレンズのレンズホルダーを例示したものである。本例ではこのようなレンズ口径が小さいレンズとして超高倍率（例えば１５〜３０倍）のレンズを挙げることができる。焦点距離が短い超高倍率のレンズは、小型の拡大鏡レンズに向いている。
【００１８】
図７に示すようにこのレンズホルダー１７は下端に向かって広がり下端が開口しているスカート状の透明カバー２０と円筒状部２５を備えており、該円筒状部２５にレンズ１１が装着されている。さらに、この円筒状部２５には保持部９が設けられており、この保持部９を保持することによってレンズホルダー１７をアダプターを介して拡大鏡ホルダーのレンズ保持部で保持できるようになっている。本例のレンズホルダーのようにレンズが透明カバー２０を備え、レンズが該透明カバー２０の上方に装着されていると、レンズを紙面等から隔置させて保持できると共に、該透明カバー２０を通して紙面等を照明できるので好ましい。なお、保持部９の表面にはレンズホルダー１７の保持をより確実にするために凹凸模様１９を形成してもよい。
【００１９】
図８はレンズ口径が大きいレンズのレンズホルダーを例示したものである。本例ではこのようなレンズ口径の大きいレンズ１１として前記の超高倍率レンズより倍率が小さい高倍率（例えば５〜１４倍）のレンズを挙げることができる。レンズの大口径化によって、レンズホルダー１７は大型化するが、透明カバー２０を備えるレンズホルダー１７にレンズ１１を装着し保持部９を設ける基本構成は、図７のレンズホルダー１７と同じである。本例のレンズホルダー１７では保持部９の寸法をレンズ保持部３の嵌着部１４（図２参照）の寸法に合わせて形成し、該保持部９をレンズ保持部３の嵌着部１４で嵌着することにより拡大鏡ホルダーのレンズ保持部３で直接保持できるようになっている。保持部９はレンズ保持部３の嵌着部１４が該保持部９に嵌合されやすくするために上に向かって小径となるテーパー部を有している。また、透明カバー２０の形状は、上端が保持部９の寸法に制約されて全体的に円筒状になっているが、この円筒状の透明カバー内の空間により充分広い視野が確保できる。透明カバー２０の下端部に切欠き２６を設けることによって、この切欠き２６からペン等を中に入れて文字等を書くことができると共に軽量化を図ることができる。
【００２０】
本考案では上記したようにレンズの口径が異なっていても、レンズホルダーを拡大鏡ホルダーのレンズ保持部の嵌着部で直接保持するときは、該レンズホルダーの保持部をこの嵌着部の寸法に合わせることにより、またアダプターを介して保持するときは、該レンズホルダーの保持部をアダプターの嵌着部の寸法に合わせることにより、一つの拡大鏡ホルダーで取り替えて保持できる。
【００２１】
以上、本考案の代表的な２種類のレンズホルダーについて説明したが、透明カバー２０の形状や寸法、および保持部の形態等はこれに限定されないで適宜変えられる。
【００２２】
次に、アダプターについて図５及び図６を参照して説明する。図５（ａ）は本考案の好ましい実施形態であるアダプターの斜視図であり、（ｂ）は（ａ）のＡ−Ａ部の断面図である。本例のアダプター４は例えばアクリル樹脂製のドーナツ状体をなしており、その外周部にはレンズ保持部の嵌着部に嵌合する保持部９が形成されている。この保持部９は下方に行くに従って小径となるテーパー部に形成されており、レンズ保持部の嵌着部に上から嵌合して保持されやすくなっている。また、アダプター４の内周部に形成した凹溝には例えばゴム製のＯリング８が嵌入されている。嵌入されたＯリングは固定板７で外側から押えられる。このＯリング８は内周面から僅かに突出しており、アダプター４の内側から外方向の力が加わると、外方向に弾性変形する。
【００２３】
なお、本例では上記したように保持部９を下方に行くに従って小径となるテーパー部に形成しているが、保持部９は逆に上方に行くに従って小径となるテーパー部に形成して、レンズ保持部の嵌着部に下から嵌合するようにしてもよい。
【００２４】
本考案においてアダプターは、前記保持部が小径のレンズホルダーを拡大鏡ホルダーのレンズ保持部で保持する際、レンズホルダーの保持部の寸法を補う機能を持っている。したがって、アダプター４の外周部は、拡大鏡ホルダーのレンズ保持部の嵌着部１４（図２参照）に嵌合する保持部９を備えており、該保持部の外径はレンズ保持部の前記嵌着部１４の内径と実質的に同一である。
【００２５】
一方,アダプター４の内周部は、該アダプターを介してレンズ保持部に保持されるレンズホルダーを保持するための嵌着部を有しており、その内径は該嵌着部に保持されるレンズホルダーの保持部の外径とほぼ同一寸法である。なお、アダプター４の厚さは前記レンズ保持部の嵌着部１４の高さとほぼ同じである。
【００２６】
本考案において、レンズ保持部及びアダプターの各内周部の嵌着部は、レンズホルダー又はアダプターの保持部を保持し、保持した後はレンズホルダー又はアダプターが前記嵌着部から簡単に脱落しないように保持される機能を有していることが好ましい。保持されたレンズホルダー又はアダプターが前記嵌着部から簡単に脱落するということは、使用中に脱落するおそれが生じるので好ましくない。
【００２７】
そこで、本考案の好ましい実施形態では、前記レンズ保持部及びアダプターは嵌着部に嵌合されたレンズホルダー又はアダプターを支持手段により保持し、脱落を防止している。この前記支持手段としては、Ｏリング、摩擦抵抗力、テーパー部、ねじ、接着又は噛み合い連結などを挙げることができる。これらは単独でも所期の目的を達成できるが、2以上を併用してもよい。
【００２８】
図５はこの支持手段がＯリングである場合のアダプターを示す。このアダプターを用いて図７のレンズホルダー１７を実際に拡大鏡ホルダーのレンズ保持部の保持させる方法を図９に従って説明する。先ず内周部にＯリング８が嵌入されているアダプター４を、レンズホルダー１７の円筒状部２５に上から被せてアダプター４の嵌着部に嵌合すると、内周面から突出しているＯリング８がレンズホルダー１１の保持部９に当接する。当接後もさらにアダプター４を押し下げると、Ｏリングが弾性変形するために、アダプター４はレンズホルダー１７の保持部９に嵌着される。図９の鎖線はこの状態を示す。この状態のレンズホルダー１７は、保持部９がＯリングの作用でアダプター４によって持ち上げても脱落しないようにしっかり保持されている。
【００２９】
次いで、レンズホルダー１７を保持しているアダプター４をレンズ保持部３の嵌着部に嵌合して押し下げると、アダプター４の保持部９にはテーパー部が形成されているので、レンズ保持部３の嵌着部１４はこのテーパー部に沿ってアダプター４が嵌着部１４によって停止されるまで下がり、この状態で更に押し力を加えると、レンズ保持部３の嵌着部１４とアダプター４の保持部９との接触部に生じる大きな摩擦抵抗力によってレンズホルダー１７をレンズ保持部３で保持できる。したがって、この場合のレンズ保持部３の嵌着部における支持手段は摩擦抵抗力である。
【００３０】
なお、アダプター４のレンズ保持部３からの取り外し及びレンズホルダー１７のアダプター４からの取り外しは、いずれも逆方向の力を加えることによって簡単にできる。特にレンズホルダー１７のアダプター４からの取り外しは、Oリング８の弾性変形で行うことができるので円滑に実施できる。Oリングは構造も簡単であり、支持手段として優れている。
【００３１】
図６は他の実施形態のアダプターであり、（ａ）はアダプターの斜視図、（ｂ）は（ａ）のB＝B部の断面図である。本例のアダプター４が図５のアダプターと違う点は、後者の内周部における支持手段がOリングであったのに対し、本例の内周部の支持手段はテーパー部１０である点であり、他は同じである。このアダプター４はテーパー部１０の下端の鋭角部でレンズホルダーの保持部を押圧し脱落を防止する。
【００３２】
以上、本考案の好ましい実施形態について説明したが、本考案はこれに限定されるものではなく、例えば、レンズ保持部の嵌着部に支持手段として例えばOリングを設けたり、また拡大鏡を常に明るい場所で使用する場合にはレンズ保持部に照明装置が設けられていなくてもよい。また、透明カバーを備えていないレンズホルダーも使用できる。
【００３３】
さらに、円形のレンズに代えて角型のレンズを使用することも可能であり、この場合にはレンズ保持部、レンズホルダー、アダプター等もレンズに合わせて角型となる。
【産業上の利用可能性】
【００３４】
本考案の拡大鏡ホルダーは、視力が低下した人や老眼の人などが、読書や作業を行うのに利用できる。
【図面の簡単な説明】
【００３５】
【図１】本考案の好ましい実施形態の拡大鏡ホルダーの斜視図。
【図２】本考案の好ましい実施形態の拡大鏡ホルダーの断面説明図。
【図３】図２の底面図。
【図４】図２のレンズ保持部の部分拡大断面図
【図５】（ａ）本考案の好ましいアダプターの斜視図、（ｂ）は（ａ）のＡ−Ａ部断面図。
【図６】（ａ）本考案の好ましい他のアダプターの斜視図、（ｂ）は（ａ）のＢ−Ｂ部断面図。
【図７】好ましいレンズホルダーの斜視図。
【図８】他の好ましいレンズホルダーの斜視図。
【図９】アダプターを介してレンズホルダーをレンズ保持部で保持する方法の説明図。
【符号の説明】
【００３６】
１：本体、              ２：把持部、      ３：レンズ保持部
４：アダプター、        ６：円形鍔部６、  ８：Ｏリング、
９：保持部、            １０：テーパー部  １１：レンズ、
１３：冷陰極放電管      １４：嵌着部、    １５：スイッチ、
１７：レンズホルダー、
【図１】
0003120608.tif 000003
【図２】
0003120608.tif 000004
【図３】
0003120608.tif 000005
【図４】
0003120608.tif 000006
【図５】
0003120608.tif 000007
【図６】
0003120608.tif 000008
【図７】
0003120608.tif 000009
【図８】
0003120608.tif 000010
【図９】
0003120608.tif 000011